(57)【特許請求の範囲】
【請求項１】
コンデンサ本体と、前記コンデンサ本体の柱軸方向の先端部に設けた端子部および、柱軸と直交する方向の大きさが、前記コンデンサ本体よりも大きい封口部とを有する柱状の電解コンデンサを、ケース内に複数段段積みしてなるコンデンサユニットにおいて、
前記ケースを、
前記電解コンデンサの本体部分のみを載置する平面部を有する略平板状に形成された下ケースと、
前記下ケースと組み合わせて空間を形成する上ケースと、
前記空間を上下方向に複数段に仕切るように空間内に配置され、上側の前記電解コンデンサの本体部分のみを載置する平面部を有する略平板状に形成された、少なくとも１つの中間ケース部材とを備えて構成し、
前記中間ケース部材には、前記電解コンデンサの柱軸方向と直交する方向にリブが設けられ、
前記中間ケース部材で仕切られた複数段の空間内に、複数個の電解コンデンサを配置したことを特徴とするコンデンサユニット。
【請求項２】
前記上ケースは、前記下ケースの少なくとも一部を覆うコ字状に形成されていることを特徴とする請求項１に記載のコンデンサユニット。
【請求項３】
前記上ケースには、前記側部の下部に、電解コンデンサの柱軸方向のネジ通し長穴を設けるとともに、前記下ケースには、前記ネジ通し長穴と対応する位置にネジ穴を設け、前記上ケースを、前記下ケースに、前記電解コンデンサの柱軸方向に位置調整可能にネジ締め固定したことを特徴とする請求項１または２に記載のコンデンサユニット。
【請求項４】
前記中間ケース部材は、前記上ケースの側部に取付けられていることを特徴とする請求項２に記載のコンデンサユニット。
【請求項５】
前記中間ケース部材は、電解コンデンサの柱軸方向と直交する方向の両端部に係合突起を有し、かつ、前記上ケースの両側部には、前記係合突起に対応する係合穴が設けられ、前記中間ケース部材の係合突起を、前記上ケースの係合穴に係合させたことを特徴とする請求項４に記載のコンデンサユニット。
【請求項６】
前記上ケースの前記電解コンデンサの端子部側にあたる端部に、前記電解コンデンサを位置決めする絶縁材からなる支持板を取付けたことを特徴とする請求項１に記載のコンデンサユニット。
【請求項７】
前記支持板は、前記電解コンデンサの端子部を挿入して位置決めする位置決め穴が設けられていることを特徴とする請求項６に記載のコンデンサユニット。
【請求項８】
前記下ケースおよび中間ケース部材の、前記電解コンデンサの反端子部側にあたる端部に、前記電解コンデンサの反端子部側の端面と接し前記電解コンデンサの柱軸方向の位置決めをする突出縁を設けたことを特徴とする請求項１に記載のコンデンサユニット。
【請求項９】
前記中間ケース部材は金属板からなり、前記突出縁は、前記金属板を折り曲げ加工して構成したことを特徴とする請求項８に記載のコンデンサユニット。
【請求項１０】
前記突出縁は、複数の電解コンデンサの端部と接する部分が一体化されたものであることを特徴とする請求項８に記載のコンデンサユニット。
【請求項１１】
内部にコンデンサユニットを備えたモータ制御装置において、
前記コンデンサユニットを、請求項１から請求項１０のいずれかの項に記載のコンデンサユニットで構成したことを特徴とするモータ制御装置。
【発明の詳細な説明】
【技術分野】
【０００１】
本発明は、電解コンデンサの保持を行うためのコンデンサユニットと、これを備えたモータ制御装置に関するものである。
【背景技術】
【０００２】
図５に示すように、従来、モータ制御装置２１においては、コンデンサユニット２２を内部に収納している（例えば、特許文献１参照）。
前記コンデンサユニット２２は、図６に示すように、コンデンサ本体２３ａ，２４ａ，２５ａ，２６ａ（以下、２３ａ〜２６ａと記す）と封口部２３ｂ，２４ｂ，２５ｂ，２６ｂ（以下、２３ｂ〜２６ｂと記す）を有する、例えば４個の柱状の電解コンデンサ２３，２４，２５，２６（以下、２３〜２６と記す）をケース２７の空間２７ａ内に固定している。
前記ケース２７は、下側の電解コンデンサ２３，２４を挟み込んで保持及び位置決めするための、平面部２８ａを有する略平板状の下ケース２８と、平面部３０ａを有するとともに、両端部が折れ曲がって側部３０ｂを形成した略コ字状の中ケース３０と、同じく両端部が折れ曲がった略コ字状の上ケース２９の３つの板金状のケースと、前記中ケース３０と上ケース２９に取り付けられる支持板３１と、これらを固定する固定用ネジ３２，３３とを備えている。
また、前記下ケース２８には、反支持板側の端部に突出縁２８ｂが形成されるとともに、側部にネジ穴２８ｃが形成され、中ケース３０には、反支持板側の端部に突出縁３０ｃが形成されている。
また、前記上ケース２９には、側部２９ａに、支持板取付片２９ｂと、ネジ穴２９ｃと、ネジ通し長穴２９ｄを設けている。なお、前記中ケース３０にも、側部３０ｂに、支持板取付片３０ｄと、ネジ穴３０ｅと、ネジ通し長穴３０ｆを設けている。
さらに、前記支持板３１には、前記電解コンデンサ２３〜２６の端子口用と位置決め用を兼ねた位置決め穴３１ａとネジ通し穴３１ｂが形成されている。
【０００３】
前記コンデンサユニット２２を用いて、４個の電解コンデンサ２３〜２６を保持する場合は、次のようにして行なう。
まず、２個の電解コンデンサ２３，２４を、下ケース２８の上部に並べて載置する。
次に、前記中ケース３０を、前記電解コンデンサ２３，２４を下ケース２８との間に挟みこむようにして被せる。
次に、前記中ケース３０の上部に、２個の電解コンデンサ２５，２６を、並べて載置する。
次に、前記上ケース２９を、前記電解コンデンサ２５，２６を中ケース２５との間に挟みこむようにして被せる。
次に、前記中ケース３０と上ケース２９を一緒にし、前記固定用ネジ３２を仮締めして、前記中ケース３０と上ケース２９を一緒に、前記下ケース２４に仮固定する。
次に、支持板３１を、４個の前記電解コンデンサ２３〜２６の端子を、前記支持板３１の位置決め穴に挿入して、前記中ケース３０と上ケース２９に、固定用ネジ３３を用いて仮固定する。
次に、前記中ケース３０、上ケース２９、および支持板３１を動かして、前記電解コンデンサ２３〜２６の位置を調整し、調整が終わり次第、仮締めしていた固定用ネジ３２，３３を本締めする。
これにより、４個の電解コンデンサ２３〜２６が、前記コンデンサユニット２２に固定、保持される。
【特許文献１】特開２００５−３３３０４１号公報
【発明の開示】
【発明が解決しようとする課題】
【０００４】
しかしながら、このような従来技術においては、次のような問題があった。
（１）前記電解コンデンサ２３〜２６は、柱軸と直交する方向（径方向）の大きさが、前記封口部の方が前記コンデンサ本体２３ａ〜２６ａよりも大きくなっている。つまり段差がある。そのため、前記電解コンデンサ２３〜２６をそのまま段積して設置すると、不安定な状態となる。そこで、前記中ケース３０の平面部３０ａにリブ３０ｂを形成して隙間を吸収し、電解コンデンサ２３〜２６を安定的に設置できるようにしている。しかし、前記リブ３０ｂが、電解コンデンサ２３〜２６の柱軸方向に形成されているため、複数の電解コンデンサ２３〜２６を固定しようとすると、前記リブ３０ｂの端部の位置において前記電解コンデンサ２３〜２６が傾いて端子位置がずれ、取り付けがうまくできない。
（２）電解コンデンサ２３〜２６、および上ケース２７と中ケース３０を同時に固定する必要があるため、調整が非常に難しく、簡易的にかつ確実に固定することが困難である。
（３）中ケース３０とほぼ同形状である上ケース２９は、中ケース３０と共締めで固定する必要があり、中ケース３０との干渉をさけるために、側部２９ａに段曲げを有する複雑な加工が必要となっている。
本発明は、このような問題を解決するためになされたもので、コンデンサ本体と封口部の径方向の大きさが異なる電解コンデンサを、ケース内に複数段段積みするにあたって、簡単に、かつ確実に位置決めして、安定的に固定、保持することができるコンデンサユニットと、これを備えたモータ制御装置を提供することを目的とするものである。
【課題を解決するための手段】
【０００５】
上記問題を解決するために、本発明は次のように構成したものである。
請求項１に記載のコンデンサユニットの発明は、コンデンサ本体と、前記コンデンサ本体の柱軸方向の先端部に設けた端子部および、柱軸と直交する方向の大きさが、前記コンデンサ本体よりも大きい封口部とを有する柱状の電解コンデンサを、ケース内に複数段段積みしてなるコンデンサユニットにおいて、
前記ケースを、前記電解コンデンサの本体部分のみを載置する平面部を有する略平板状に形成された下ケースと、前記下ケースと組み合わせて空間を形成する上ケースと、前記空間を上下方向に複数段に仕切るように空間内に配置され、上側の前記電解コンデンサの本体部分のみを載置する平面部を有する略平板状に形成された、少なくとも１つの中間ケース部材とを備えて構成し、前記中間ケース部材には、前記電解コンデンサの柱軸方向と直交する方向にリブが設けられ、前記中間ケース部材で仕切られた複数段の空間内に、複数個の電解コンデンサを配置したことを特徴とするものである。
【０００６】
請求項２に記載の発明は、前記上ケースは、前記下ケースの少なくとも一部を覆うコ字状に形成されていることを特徴とするものである。
【０００７】
請求項３に記載の発明は、前記上ケースには、前記側部の下部に、電解コンデンサの柱軸方向のネジ通し長穴を設けるとともに、前記下ケースには、前記ネジ通し長穴と対応する位置にネジ穴を設け、前記上ケースを、前記下ケースに、前記電解コンデンサの柱軸方向に位置調整可能にネジ締め固定したことを特徴とするものである。
【０００８】
請求項４に記載の発明は、前記中間ケース部材は、前記上ケースの側部に取付けられていることを特徴とするものである。
【０００９】
請求項５に記載の発明は、前記中間ケース部材は、電解コンデンサの柱軸方向と直交する方向の両端部に係合突起を有し、かつ、前記上ケースの両側部には、前記係合突起に対応する係合穴が設けられ、前記中間ケース部材の係合突起を、前記上ケースの係合穴に係合させたことを特徴とするものである。
【００１０】
請求項６に記載の発明は、前記上ケースの前記電解コンデンサの端子部側にあたる端部に、前記電解コンデンサを位置決めする絶縁材からなる支持板を取付けたことを特徴とするものである。
【００１１】
請求項７に記載の発明は、前記支持板は、前記電解コンデンサの端子部を挿入して位置決めする位置決め穴が設けられていることを特徴とするものである。
【００１２】
請求項８に記載の発明は、前記下ケースおよび中間ケース部材の、前記電解コンデンサの反端子部側にあたる端部に、前記電解コンデンサの反端子部側の端面と接し前記電解コンデンサの柱軸方向の位置決めをする突出縁を設けたことを特徴とするものである。
【００１３】
請求項９に記載の発明は、前記中間ケース部材は金属板からなり、前記突出縁は、前記金属板を折り曲げ加工して構成したことを特徴とするものである。
【００１４】
請求項１０に記載の発明は、前記突出縁は、複数の電解コンデンサの端部と接する部分が一体化されたものであることを特徴とするものである。
【００１５】
請求項１１に記載のモータの制御装置の発明は、内部にコンデンサユニットを備えたモータ制御装置において、前記コンデンサユニットを、請求項１から請求項１０のいずれかの項に記載のコンデンサユニットで構成したことを特徴とするものである。
【発明の効果】
【００１６】
本発明によれば、次のような効果がある。
請求項１および請求項２に記載のコンデンサユニットの発明によれば、前記ケースを、前記電解コンデンサの本体部分のみを載置する平面部を有する略平板状に形成された下ケースと、前記下ケースと組み合わせて空間を形成する上ケースと、前記空間を上下方向に複数段に仕切るように空間内に配置され、上側の前記電解コンデンサの本体部分のみを載置する平面部を有する略平板状に形成された、少なくとも１つの中間ケース部材とを備えて構成し、前記中間ケース部材に、前記電解コンデンサの柱軸方向と直交する方向にリブを設けているので、電解コンデンサをケース内に固定、保持するに際して、容易に正しい姿勢にすることができるとともに、その姿勢を安定的に維持することができる。
【００１７】
請求項３に記載の発明によれば、上ケース３と下ケースへのネジ締め固定において、ネジを通す穴を長穴としているので、上ケースの下ケースへの取り付け時の位置の調整が可能となり、柱軸方向の公差が大きな電解コンデンサにも使用することが可能となる。さらに、同一外形で、柱軸方向の長さが長い電解コンデンサにも、中間ケース部材１０と下ケース８のみの変更で対応が可能であり、部品を共通化することができる。
【００１８】
請求項４および請求項５に記載の発明によれば、中間ケース部材の上ケースへの取り付けにあたっては、ネジ等の固定部材を必要とせず、簡単で、かつ確実な組立が可能になるとともに、下ケースには上ケースのみを取付ければよいので、上ケースの下ケースへの取り付けが容易になる。
また、上ケース、中間ケース部材、および上側の電解コンデンサを、１つのユニットとしてまとめることができるので、管理がしやすく、かつ下ケースと下側の電解コンデンサとの組立が容易になる。
【００１９】
請求項６，８，９，１０に記載の発明によれば、電解コンデンサ３〜６の反端子部側の端面を前記突出縁に当接させるだけで、電解コンデンサの柱軸方向の位置決めを簡単に行なうことができる。
【００２０】
請求項７に記載の発明によれば、前記支持板の位置決め穴に電解コンデンサの端子部を嵌合させるだけで、前記電解コンデンサの、前記電解コンデンサの柱軸方向と直交する方向の位置決めを簡単に行なうことができる。
【００２１】
請求項１１に記載のモータ制御装置の発明によれば、前記電解コンデンサをケース内に収納、固定するに際して、前記電解コンデンサを容易に正しい姿勢にすることができるとともに、その姿勢を安定して維持することができるコンデンサユニットを内部に備えることができる。
【発明を実施するための最良の形態】
【００２２】
以下、本発明の実施例を、図に基づいて説明する。
【実施例】
【００２３】
図１は、本発明の実施例におけるモータ制御装置を示す正面図である。図２は、本発明の実施例におけるコンデンサユニットを示す斜視図である。図３は、図２の分解斜視図である。なお図２および図３に示す実施例は、コンデンサが４個で、パワー半導体素子のスイッチング主回路の入力側に設けた平滑回路としての電解コンデンサの場合である。
【００２４】
図１に示すように、モータ制御装置１は、内部にコンデンサユニット２を収納している。前記コンデンサユニット２は、図２および図３に示すように、内部に複数個、例えば４個の柱状の電解コンデンサ３，４，５，６（以下、電解コンデンサ３〜６と記す）を複数段、例えば本実施例では、２個ずつ２段に段積みして収納するケース７を有している。前記電解コンデンサ３〜６は、コンデンサ本体３ａ，４ａ，５ａ，６ａ（以下、コンデンサ本体３ａ〜６ａと記す）と、封口部３ｂ，４ｂ，５ｂ，６ｂ（以下、封口部３ｂ〜６ｂと記す）と端子部３ｃ，４ｃ，５ｃ，６ｃ（以下、端子部３ｃ〜６ｃと記す）とを備えて構成されている。
前記ケース７は、下ケース８と、上ケース９と、中間ケース部材１０と、支持板１１を備えて構成され、内部に空間７ａを有している。
【００２５】
前記下ケース８は、ベースとなるもので、前記電解コンデンサ３，４のコンデンサ本体３ａ，４ａ部分のみを載置する平面部８ａを有する略平板状に形成されている。また、前記下ケース８には、前記電解コンデンサ３，４の反端子部側にあたる端部に、前記電解コンデンサの反端子部側の端面３ｄ，４ｄと接し前記電解コンデンサ３，４の柱軸方向の位置決めをする突出縁８ｂを設けている。さらに、両側部にはネジ穴８ｃを設けている。
前記ネジ穴８ｃには、上ケース９を下ケース８に締め付け固定するための固定用ネジ１２が螺合する。
前記電解コンデンサ３〜６については、コンデンサ本体３ａ〜６ａと封口部３ｂ〜６ｂの、柱軸と直交する方向（径方向）の大きさは、前述したように、前記封口部３ｂ〜６ｂの方が前記コンデンサ本体３ａ〜６ａよりも大きいので、下ケース８にあっては、前記コンデンサ本体３ａ，４ａと封口部３ｂ，４ｂとを同一の平面部８ａ上に載置せず、下ケース８の平面部８ａには、コンデンサ本体３ａ，４ａのみを載置するようにしている。前記封口部３ｂ，４ｂは、前記下ケース８の平面部８ａから外して置かれている。
【００２６】
前記上ケース９は、前記下ケース８と組み合わせて前記空間７ａを形成するもので、前記下ケース８の少なくとも一部を覆うコ字状に形成されている。この上ケース９には、側部９ａに、中間ケース部材１０を取付けるための係合穴９ｂを形成するとともに、上ケース９を前記下ケース８に取付けるためのネジ通し長穴９ｃを設けている。また、前記上ケース９の前記電解コンデンサ３〜６の端子部側にあたる端部に、支持板１１を取付けるための支持板取付け片９ｄを設けている。前記支持板取付け片９ｄには、前記支持板１１を前記支持板取付け片９ｄに締め付けるための固定用ネジ１３と螺合するネジ穴９ｅを設けている。
【００２７】
前記支持板１１は、前記電解コンデンサ３〜６を位置決めするためのもので、絶縁材からなり、前記電解コンデンサ３〜６の端子部３ｃ〜６ｃを挿入して位置決めする位置決め穴１１ａが設けられている。また、前記固定用ネジ１３を通すネジ通し穴１１ｂが設けられている。
【００２８】
前記中間ケース部材１０は、上側の前記電解コンデンサ５，６の本体部分のみを載置する平面部１０ａを有する略平板状に形成され、前記上ケース９の側部９ａの内面に取付けられている。前記中間ケース部材１０は、電解コンデンサ５，６の柱軸方向と直交する方向の両端部に係合突起１０ｃを有し、これらの係合突起１０ｃを、前記上ケース９に設けた前記係合穴９ｂに係合させて、前記中間ケース部材１０を、前記上ケース８に取付けている。
また、前記電解コンデンサ３〜６の封口部３ｂ〜６ｂとコンデンサ本体３ａ〜６ａの段差を考慮し、下側の前記電解コンデンサ３，４の封口部３ｂ，４ｂと上側の前記電解コンデンサ５，６の封口部５ｂ，６ｂとが干渉しないように、前記中間ケース部材１０には、前記電解コンデンサ５，６の柱軸方向と直交する方向にリブ１０ｂを設けている。これにより、前記電解コンデンサ３，４のコンデンサ本体３ａ，４ａと、前記電解コンデンサ５，６のコンデンサ本体５ａ，６ａとの間隔が広がり、下側の前記電解コンデンサ３，４の封口部３ｂ，４ｂと上側の前記電解コンデンサ５，６の封口部５ｂ，６ｂとが干渉することなく、前記電解コンデンサ３，４のコンデンサ本体３ａ，４ａと、前記電解コンデンサ５，６のコンデンサ本体５ａ，６ａとを、前記中間ケース部材１０の平面部１０ａに密着させて安定した固定ができる（図４（ｂ）では分かり易くするために電解コンデンサと中間ケース部材間は隙間をあけて描いている）。また、前記電解コンデンサ５，６の柱軸方向と直交するリブ１０ｂを設けることにより、前記中間ケース部材１０の強度を増すことができ、中間ケース部材１０の厚みを薄くすることが可能となる。これにより、材料の節約ができコストを低下させることができる。
また、前記中間ケース部材１０には、前記電解コンデンサ５，６の反端子部側にあたる端部に、前記電解コンデンサの反端子部側の端面５ｄ，６ｄと接し、前記電解コンデンサ５，６の柱軸方向の位置決めをする突出縁１０ｄを設けている。
なお、前記中間ケース部材１０は、前記空間７ａ内に少なくとも１つ配置され、前記空間７ａを上下方向に複数段、本実施例では２段に仕切っている。
【００２９】
このような構成において、前記コンデンサユニット２における、前記電解コンデンサ３〜６の前記ケース７への固定、保持は次のようにして行う。
まず、２個の下側の電解コンデンサ３，４を、前記下ケース８の平面部８ａ上に載置する。その際、前記電解コンデンサ３，４の端面が、下ケース８に設けられた突出縁８ｂに当たるように配置する。
次に、電解コンデンサ５，６を、上ケース９の内部に入れるとともに、下側から、中間ケース部材１０を、電解コンデンサ５，６のコンデンサ本体５ａ，６ａの面に押し付けるようにして上ケース９内に入れる。上ケース９内に入れた中間ケース部材１０は、両係合突起１０ｃを、上ケース９の係合穴９ｂに係合させて、上ケース９に固定する。その際、電解コンデンサ５，６は、端面５ｄ，６ｄを、中間ケース部材１０の突出縁１０ｄに当たるように配置する。
次に、中間ケース部材１０によって電解コンデンサ５，６と一体化された上ケース８を、先に準備された下ケース８の平面部８ａ上に配置された２個の下側の電解コンデンサ３，４のコンデンサ本体３ａ，４ａを、中間ケース部材１０のリブ１０ｂの下面で覆い、かつ押し付けるようにして、上ケース９を下ケース８に被せる。その後、固定用ネジ１２を、上ケース９のネジ通し長穴９ｃに通すとともに、下ケース８のネジ穴８ｃに螺合させて、上ケース９を下ケース８に締め付け固定する。
次に、支持板１１を、上ケース９に取付けて前記電解コンデンサ３〜６を柱軸方向に安定的に固定する。これは、次のようにして行なう。まず、支持板１１の位置決め穴１１ａを、電解コンデンサ３〜６の端子部３ｃ〜６ｃに嵌合させつつ、支持板１１を上ケース８の支持板取付片９ｄに当接させる。次に、支持板１１のネジ通し穴１１ｂの位置を、上ケース９の支持板取付片９ｄのねじ穴９ｅの位置に合わせる。ネジ通し穴１１ｂの位置がネジ穴９ｅの位置に合ったところで、固定用ネジ１３を前記ネジ通し穴１１ｂに通してネジ穴９ｅに螺合させ、支持板１１を上ケース９に締め付け固定する。
これにより、前記電解コンデンサ３〜６の前記ケース７への固定、保持がなされる。
【００３０】
モータ制御装置１内に収納されるコンデンサユニット２は、このような構成をしており、次に述べるような作用・効果を有している。
（１）前記コンデンサユニット２は、中間ケース部材１０に、電解コンデンサ３〜６の柱軸方向に直交するようにリブ１０ｂが形成されており、封口部３ｂ〜６ｂとコンデンサ本体３ａ〜６ａの外形が異なる電解コンデンサを重ね合わせて設置する場合、前記リブ１０ｂの働きにより、前記電解コンデンサ３〜６を安定して固定、保持することができる。前記リブ１０ｂにより、前記電解コンデンサ３，４のコンデンサ本体３ａ，４ａと、前記電解コンデンサ５，６のコンデンサ本体５ａ，６ａとの間隔が広がり、下側の前記電解コンデンサ３，４の封口部３ｂ，４ｂと上側の前記電解コンデンサ５，６の封口部５ｂ，６ｂとが干渉することなく、前記電解コンデンサ３，４のコンデンサ本体３ａ，４ａと、前記電解コンデンサ５，６のコンデンサ本体５ａ，６ａとを、前記中間ケース部材１０の平面部１０ａに密着させて安定した固定ができる。
【００３１】
（２）上ケース９と下ケース８へのネジ締め固定において、ネジを通す穴を長穴としているので、上ケース９の下ケース８への取り付け時の位置の調整が可能となり、柱軸方向の公差が大きな電解コンデンサにも使用することが可能となる。さらに、同一外形で、柱軸方向の長さが長い電解コンデンサにも、中間ケース部材１０と下ケース８のみの変更で対応が可能であり、部品を共通化することができる。
【００３２】
（３）中間ケース部材１０の上ケース９への取り付けにあたっては、ネジ等の固定部材を必要とせず、簡単で、かつ確実な組立が可能になるとともに、下ケース８には上ケース９のみを取付ければよいので、上ケース９の下ケース８への取り付けが容易になる。
また、上ケース９、中間ケース部材１０、および上側の電解コンデンサ５，６を、１つのユニットとしてまとめることができるので、管理がしやすく、かつ下ケース８と下側の電解コンデンサ３，４との組立が容易になる。
【００３３】
（４）電解コンデンサ３〜６の反端子部側の端面を前記突出縁に当接させるだけで、電解コンデンサの柱軸方向の位置決めを簡単に行なうことができる。
【００３４】
（５）前記支持板１１の位置決め穴１１ａに電解コンデンサの端子部を嵌合させるだけで、前記電解コンデンサ３〜６の、前記電解コンデンサ３〜６の柱軸方向と直交する方向の位置決めを簡単に行なうことができる。
【００３５】
（６）前記電解コンデンサ３〜６をケース７内に固定、保持するに際して、前記電解コンデンサ３〜６を容易に正しい姿勢にすることができるとともに、その姿勢を安定して維持することができるコンデンサユニット２を内部に備えることができる。
【００３６】
なお、前記実施例は、電解コンデンサが２個ずつの２段に段積みした例であるが、上ケース、中間ケース部材、下ケース、支持板の外形を変更すれば、電解コンデンサが４個の場合の段積だけでなく、電解コンデンサの数が４個を超える複数個、複数段の場合にも対応でき、安定して固定、保持することができる。
また、柱状の前記電解コンデンサの形状は、図２に示すような長円形だけでなく、円形あるいは角形の形状にも使用することが可能である。
さらに、前記上ケース、中間ケース部材、下ケースの前記電解コンデンサと接触する側の面と電解コンデンサの外面との間に空間を形成し、前記空間内に前記コンデンサを押圧する押圧部材を配置するようにしてもよい。この場合は、電解コンデンサの固定、保持が、振動等に対しても強くなり、より強固に行なわれる。
【図面の簡単な説明】
【００３７】
【図１】本発明の実施例におけるモータ制御装置を示す正面図である。
【図２】本発明の実施例におけるコンデンサユニットを示す斜視図である。
【図３】図２の分解斜視図である。
【図４】本発明の実施例における電解コンデンサと中間ケース部材との関係を示す図で、（ａ）は要部の正面図で、（ｂ）は要部の側面図である。
【図５】従来技術におけるモータ制御装置を示す正面図である。
【図６】従来技術におけるコンデンサユニットを示す分解斜視図である。
【図７】従来技術における電解コンデンサと中ケースとの関係を示す図で、（ａ）は要部の正面図で、（ｂ）は要部の側面図である。
【符号の説明】
【００３８】
１      モータ制御装置
２      コンデンサユニット
３，４，５，６    電解コンデンサ
３ａ，４ａ，５ａ，６ａ  コンデンサ本体
３ｂ，４ｂ，５ｂ，６ｂ  封口部
３ｃ，４ｃ，５ｃ，６ｃ  端子部
３ｄ，４ｄ，５ｄ，６ｄ  端面
７      ケース
７ａ    空間
８      下ケース
８ａ    平面部
８ｂ    突出縁
８ｃ    ネジ穴
９      上ケース
９ａ    側部
９ｂ    係合穴
９ｃ    ネジ通し長穴
９ｄ    支持板取付片
９ｅ    ネジ穴
１０    中間ケース部材
１０ａ  平面部
１０ｂ  リブ
１０ｃ  係合突起
１０ｄ  突出縁
１１    支持板
１１ａ  位置決め穴
１１ｂ  ネジ通し穴
１２，１３    固定用ネジ
２１      モータ制御装置
２２      コンデンサユニット
２３，２４，２５，２６    電解コンデンサ
２３ａ，２４ａ，２５ａ，２６ａ  コンデンサ本体
２３ｂ，２４ｂ，２５ｂ，２６ｂ  封口部
２３ｃ，２４ｃ，２５ｃ，２６ｃ  端子部
２３ｄ，２４ｄ，２５ｄ，２６ｄ  端面
２７      ケース
２７ａ    空間
２８      下ケース
２８ａ    平面部
２８ｂ    突出縁
２８ｃ    ネジ穴
２９      上ケース
２９ａ    側部
２９ｂ    支持板取付片
２９ｃ    ネジ穴
２９ｄ    ネジ通し長穴
３０      中ケース
３０ａ    平面部
３０ｂ    リブ
３０ｃ    側部
３０ｄ    突出縁
３０ｅ    ネジ通し長穴
３１      支持板
３１ａ    位置決め穴
３１ｂ    ネジ通し穴
３２，３３    固定用ネジ
【図１】
0005029240.tif 000002
【図２】
0005029240.tif 000003
【図３】
0005029240.tif 000004
【図４】
0005029240.tif 000005
【図５】
0005029240.tif 000006
【図６】
0005029240.tif 000007
【図７】
0005029240.tif 000008